(57)【特許請求の範囲】
【請求項１】
複数の機能項目について標準設定条件を含む複数の条件選択肢のいずれかを選択するための条件選択キーおよび決定キーを有する条件選択部と、ユーザに対する情報を表示するための表示部とを有する操作パネルを備えている画像形成装置において、
各機能項目について選択された条件の内容を、選択された標準設定条件の内容は通常の表示により、選択された標準設定条件以外の条件の内容は点滅表示により、上記表示部に順次スクロール表示させ、上記条件選択キーが操作されると、上記表示部におけるスクロール表示を中断し、当該条件選択キーに対応する機能項目について選択されている条件を上記表示部に表示し、当該条件選択キーがさらに操作されると、その操作に対応した条件選択肢を上記表示部に表示させ、次いで上記決定キーが操作されると、当該条件選択肢で条件の設定変更を行い、上記機能項目について設定変更された条件を他の機能項目について選択されている条件とともに上記表示部にスクロール表示させ、スタートキーの操作により、選択された条件に基づき画像の形成を行う手段を備えていることを特徴とする画像形成装置。
【請求項２】
装置の動作終了後から所定時間が経過したときに選択条件が標準設定条件に初期化されるようになされており、選択された標準設定条件以外の条件の点滅表示が、装置の動作が終了してから選択条件の初期化が行われるまでの間に行われるようになされていることを特徴とする請求項１の画像形成装置。
【請求項３】
装置の動作終了後から所定時間が経過したときに選択条件が標準設定条件に初期化されるようになされており、選択された標準設定条件以外の条件の点滅表示が、条件選択が行われてから選択条件の初期化が行われるまでの間に行われるようになされていることを特徴とする請求項１の画像形成装置。
【発明の詳細な説明】
【０００１】
【発明の属する技術分野】
本発明は、複写機、プリンタもしくはファクシミリ（ＦＡＸ）等の画像形成装置またはこれらの機能が組み合わされた複合画像形成装置に関する。
【０００２】
【従来の技術】
複写機能を有する画像形成装置では、操作パネルの条件設定部において、印字（複写）枚数、印字倍率、用紙の種類、用紙サイズ、印字明るさ、カラー濃度等の種々の機能項目のそれぞれについて、標準設定条件（デフォルト条件）を含む複数の条件選択肢のいずれかを選択することができ、操作パネルの表示部において、選択条件が表示されるようになっている。そして、選択条件に基づいて、印字動作が実行され、動作終了後から所定時間が経過したときに、選択条件が標準設定条件に初期化されるようになっている。
【０００３】
ところが、このような画像形成装置における操作パネルは、装置が有する機能全てをユーザが操作できるようにするため、煩雑な配置となっており、これが誤操作の原因となっている。
【０００４】
このような不具合を解消するため、特開平１０−２２２０１５号公報において、表示部に、複数の機能項目を表示するとともに複数の機能項目に対応して選択された条件選択肢をも表示可能な機能項目表示領域と、機能項目表示領域において選択された機能項目に対応した複数の条件選択肢を表示する条件選択肢表示領域とを設け、条件選択肢表示領域を複数の機能項目で共有するようにした画像形成装置の操作パネルが提案されている。
【０００５】
【発明が解決しようとする課題】
上記公開公報に記載されている操作パネルにおいても、機能項目の数が多いため、キー配列および表示の構成が複雑であり、装置のコンパクト化を図るために操作パネルを小型化すると、表示が小さくなり、ユーザにとって確認がしにくいという問題がある。
【０００６】
また、印字動作が終了してから選択条件の初期化が行われるまでの間は、選択条件が有効になっているが、このときに、異なった条件で印字を行いたいと思っても、どの機能項目が標準設定条件から変更されているのかを認識することが困難である。このため、そのときの選択条件が希望する選択条件と異なっていても、誤ってその条件で印字を行ってしまうことがある。
【０００７】
本発明の目的は、上記の問題を解決し、操作パネルにおいて変更された条件を容易に確認することができ、誤操作の防止、操作性の向上が可能な画像形成装置を提供することにある。
【０００８】
【課題を解決するための手段および発明の効果】
本発明による画像形成装置は、複数の機能項目について標準設定条件を含む複数の条件選択肢のいずれかを選択するための条件選択キーおよび決定キーを有する条件選択部と、ユーザに対する情報を表示するための表示部とを有する操作パネルを備えている画像形成装置において、各機能項目について選択された条件の内容を、選択された標準設定条件の内容は通常の表示により、選択された標準設定条件以外の条件の内容は点滅表示により、上記表示部に順次スクロール表示させ、上記条件選択キーが操作されると、上記表示部におけるスクロール表示を中断し、当該条件選択キーに対応する機能項目について選択されている条件を上記表示部に表示し、当該条件選択キーがさらに操作されると、その操作に対応した条件選択肢を上記表示部に表示させ、次いで上記決定キーが操作されると、当該条件選択肢で条件の設定変更を行い、上記機能項目について設定変更された条件を他の機能項目について選択されている条件とともに上記表示部にスクロール表示させ、スタートキーの操作により、選択された条件に基づき画像の形成を行う手段を備えていることを特徴とするものである。
【０００９】
選択された標準設定条件および選択された標準設定条件以外の条件を含む選択条件の内容が共通の表示部に順次スクロール表示される中で、選択条件の内容が標準設定条件の内容は通常の表示を行うのに対し、標準設定条件以外の内容は点滅表示させるので、ユーザーは、選択された条件を見て、どの機能項目が標準設定条件から変更されているのかを一目で容易にかつ確実に認識し、所望の機能項目について、自分の希望する条件に容易にかつ確実に設定することができる。そして、このようにして設定された条件で画像の形成が行われるので、自分の希望しない条件で誤って印字を行ってしまうおそれが少ない。
【００１０】
したがって、本発明の画像形成装置によれば、操作性が向上し、自分の希望しない条件で誤って印字を行ってしまうような誤操作を防止することができる。
【００１１】
選択条件が標準設定条件から変更されたことの表示は、好ましくは、スクロール表示により行われる。
【００１２】
このようにすれば、小さな表示部で多くの情報を表示することができ、装置の小型化が可能である。
【００１７】
本発明の画像形成装置において、たとえば、装置の動作終了後から所定時間が経過したときに選択条件が標準設定条件に初期化されるようになされており、選択された標準設定条件以外の条件の点滅表示が、装置の動作が終了してから選択条件の初期化が行われるまでの間に行われるようになされている。
【００１８】
このようにすれば、選択条件の初期化が行われるまでの間に、誤って希望しない条件で印字を行ってしまうことを防止することができる。
【００１９】
また、本発明の画像形成装置において、たとえば、装置の動作終了後から所定時間が経過したときに選択条件が標準設定条件に初期化されるようになされており、選択された標準設定条件以外の条件の点滅表示が、条件選択が行われてから選択条件の初期化が行われるまでの間に行われるようになされている。
【００２０】
このようにすれば、選択条件の初期化が行われるまでの間に、誤って希望しない条件で印字を行ってしまうことを防止することができるとともに、自分の設定した条件についても、どの機能項目が標準設定条件から変更されているかを、設定後すぐに容易に認識することができる。
【００２１】
【発明の実施の形態】
以下、図面を参照して、この発明を複写機、プリンタおよびＦＡＸの複合画像形成装置に適用した実施形態について説明する。
【００２２】
画像形成装置の全体構成が、図１に示されている。以下の説明において、図１の左右を左右とし、同図の紙面表側を前、同裏側を後とする。また、記録用紙の通常の移動方向の後側（給紙側）を上流、同前側（排紙側）を下流とする。
【００２３】
複写機の装置本体(1)には、原稿読み取り部(2)、画像形成部(3)、給紙搬送部(4)、排紙部(5)および全体を制御するための制御部（図示略）等が設けられている。
【００２４】
装置本体(1)の左側部分の高さの中間部が大きく取り除かれ、この部分が排紙部(5)となっている。
【００２５】
原稿読み取り部(2)は上面に透明なガラス等からなる原稿台(6)を有し、この原稿台(6)の下方にスキャナ光学系(7)が配されている。光学系(7)は、露光用光源(8)、複数の反射鏡(9)(10)(11)、結像レンズ(12)およびＣＣＤ（光電変換素子）(13)を備えている。原稿台(6)に載置される原稿に対して、光源(8)からの照射光により光走査が行われ、原稿からの反射光が反射鏡(9)(10)(11)およびレンズ(12)と介してＣＣＤ(13)に導かれる。ＣＣＤ(13)によって読み取られた原稿画像データは、画像処理が施され、画像形成部(3)に送られる。
【００２６】
画像形成部(3)は、図１の矢印方向に回転駆動されるドラム形状の感光体(14)を備えており、感光体(14)の周囲に、その回転方向に、感光体(14)を所定の電位に帯電させる主帯電器(15)、帯電された感光体(14)の表面にレーザ光を照射して静電潜像を形成するレーザ光照射装置(16)、レーザ光によって露光された感光体(14)の表面の静電潜像をトナーにより現像する現像装置(17)、感光体(14)上のトナー像を記録用紙に転写する転写チャージャ(18)、および感光体(14)の表面の残留トナーを除去するクリーニング装置(19)が順に配置されている。装置が複写機として使用される場合、レーザ光照射装置(16)は、前述のようにＣＤＤ(13)により読み取られて画像処理が施された原稿画像データに基づいてレーザ光を感光体(14)の表面に照射し、静電潜像を形成する。装置がプリンタあるいはＦＡＸとして使用される場合、レーザ光照射装置(16)は、コンピュータ等、外部から送られてくる画像データに基づいてレーザ光を感光体(14)の表面に照射し、静電潜像を形成する。
【００２７】
給紙搬送部(4)は、次のように構成されている。
【００２８】
装置本体(1)内の排紙部(5)の下方に記録用紙(P)が収納された用紙カセット(20)が装着され、カセット(20)の先端部に、用紙(P)を給紙するための呼び込みローラ(21)および用紙さばき部(22)が配されている。用紙さばき部(22)は、ローラと摩擦シート部材あるいは逆転ローラ等よりなる。装置本体(1)の右側面下部に手差しトレイ(23)が設けられ、その先端部に呼び込みローラ(24)および用紙さばき部(25)が配されている。カセット(20)および手差しトレイ(23)の下流側に、用紙(P)の通過を検知するためのレジスト前検知スイッチ（図示略）、およびこのスイッチの信号に基づいて感光体(14)上のトナー像と用紙(P)との位置合わせを行うレジストローラ(26)が配置され、用紙(P)をレジストローラ(26)に導く用紙搬送路(27)(28)が形成されている。画像形成部(3)の下流側に、用紙(P)上のトナー像を定着させる１対の定着ローラ(29)(30)、および用紙(P)が定着ローラ(29)(30)を通過したことを検知する定着紙検知スイッチ（図示略）が配置されている。装置本体(1)の排紙部(5)の右側上方に、用紙(P)を排紙部(5)に排出するための排紙ローラ(31)、および排紙ローラ(31)の前で用紙(P)が通過したことを検知する排紙検知スイッチ（図示略）が配置されている。定着ローラ(29)(30)と排紙ローラ(31)の間に、用紙(P)を導く用紙搬送路(32)が形成され、定着ローラ(29)(30)の下流側とレジストローラ(26)の上流側との間に、用紙(P)に両面印字を行う場合に使用する用紙搬送路（副搬送路）(33)が形成されている。
【００２９】
上記の画像形成装置において、片面印字の場合、用紙(P)は、カセット(20)あるいは手差しトレイ(23)から搬送路(27)(28)のいずれかを通して給紙され、レジストローラ(26)を通して画像形成部(3)に搬送される。カセット(20)と手差しトレイ(23)の選択は、たとえば、選択される用途の機能、使用者の設定等に基づいて行われる。用紙(P)は、画像形成部(3)においてトナー像が転写された後、定着ローラ(29)(30)によってトナー像の定着が行われ、搬送路(32)および排紙ローラ(31)を通って排紙部(5)に排出される。
【００３０】
両面印字の場合は、上記のように片面の印字が終わった後、用紙(P)は副搬送路(33)を通ってレジストローラ(26)の上流側に戻され、残りの片面に印字が行われる。後は、片面印字の場合と同様にして、用紙(P)は排紙部(5)に排出される。
【００３１】
上記の画像形成装置では、図１には図示していないが、装置本体(1)の上面に、図２に示すような操作パネル(34)が設けられている。
【００３２】
操作パネル(34)には、電源キー(35)、スタートキー(36)、クリア・ストップキー(37)、条件設定部(38)、液晶表示部(39)等が設けられている。
【００３３】
条件設定部(38)は、複数の機能項目について、標準設定条件を含む複数の条件選択肢のいずれかを選択するための部分である。表示部(39)は、ユーザに対する種々の情報を表示するための部分である。
【００３４】
条件設定部(38)には、メニュー選択キー(40)、カラーモード選択キー(41)および２つのカラーモード表示用ＬＥＤ(42)、コピー品質選択キー(43)および４つのコピー品質表示用ＬＥＤ(44)、２つのコピー枚数設定キー(45)(46)、用紙選択キー(47)、倍率設定キー(48)、明暗・カラー濃度設定キー(49)、４方向スイッチ（キー）(50)、決定キー(51)等が設けられている。
【００３５】
メニュー選択キー(40)は、画像形成装置の３つの用途モード、すなわち、コピーモード、プリンタモードおよびＦＡＸモードのいずれかを選択するためのものである。用途モードに関する標準設定条件は、コピーモードである。
【００３６】
カラーモード選択キー(41)は、２つのカラーモード、すなわち、カラー印字モードとモノクロ印字モードのいずれかを選択するためのものである。２つのカラーモード表示用ＬＥＤ(42)は、カラー印字モードとモノクロ印字モードにそれぞれ対応している。カラーモードに関する標準設定条件は、モノクロ印字モードである。
【００３７】
コピー品質選択キー(43)は、４つのコピー品質のいずれかを選択するためのものである。コピー品質には、「Best」、「Normal」、「Good & Fast」および「Fast」の４つの段階があり、４つのコピー品質表示用ＬＥＤ(44)がこれら各段階にそれぞれ対応している。コピー品質に関する標準設定条件は、「Normal」である。
【００３８】
コピー枚数設定キー(45)(46)はコピー枚数を設定するためのものであり、一方のキー（増加キー）(45)を押すとコピー枚数が増加し、他方のキー（減少キー）(46)を押すとコピー枚数が減少する。コピー枚数に関する標準設定条件は、１枚である。
【００３９】
用紙選択キー(47)は、用紙の種類、用紙サイズを選択するためのものである。用紙の種類には、普通紙、コート紙、フォト紙、ＯＨＰ紙、アイロン紙、はがき等がある。用紙の種類に関する標準設定条件は、普通紙である。用紙サイズには、レターサイズ、リーガルサイズ、Ａ４サイズ、Ａ５サイズ、Ｂ５サイズ等がある。用紙サイズに関する標準設定条件は、Ａ４サイズである。
【００４０】
倍率設定キー(48)は、コピー倍率に関する複数の条件選択肢のいずれかを選択するためのものである。この条件選択肢には、等倍コピー（１００％）、複数段階の拡大コピー（＞１００％）および複数段階の縮小コピー（＜１００％）がある。コピー倍率に関する標準設定条件は、等倍コピーである。
【００４１】
明暗・カラー濃度設定キー(49)は、モノクロ印字モードにおける５つの明暗の段階およびカラー印字モードにおける５つのカラー濃度の段階を設定するためのものである。明暗の段階には「Lightest」、「Lighter」、「Normal」、「Darker」および「Darkest」があり、標準設定条件は「Normal」である。カラー濃度の段階には「Least Color」、「Less Color」、「Normal」、「More Color」および「Most Color」があり、標準設定条件は「Normal」である。
【００４２】
４方向スイッチ(50)は、表示部(39)におけるメニューアイテム、オプションのスクロール、コピー倍率の１％刻みのアップ・ダウン等のために使用される。
【００４３】
決定キー(51)は、後述するように、各機能項目において、条件選択肢を選択、設定するために使用される。
【００４４】
上記の画像形成装置において、電源が投入されたときには、全ての機能項目が標準設定条件に初期化されており、コピーモードにおける各機能項目の標準設定条件の内容が表示部(39)にスクロール表示されている。標準設定条件の表示は、通常の表示によって行われる。そして、画像形成装置を使用するときは、次のように、作業の内容に応じて、用途モードの選択、各用途モードにおける各機能項目の条件の選択が行われる。
【００４５】
用途モードの選択は、メニューキー(40)と決定キー(51)を用いて行われる。操作の前には、そのときに設定されている用途モードの内容が表示部(39)に表示されている。メニューキー(40)を押すと、そのときに選択されている用途モードの内容が表示され、その後、メニューキー(40)を押すたびに表示される用途モードの内容が順に変わるので、所望の用途モード表示されているときに、決定キー(51)を押す。これにより、そのときに表示されている用途モードが選択、設定され、この用途モードの内容が、他の機能項目の選択条件とともに、表示部(39)にスクロール表示される。選択された用途モードが標準設定条件のコピーモードであれば、それが通常に表示され、標準設定条件以外の用途モードであれば、その内容が点滅表示される。なお、用途モードを変更する必要がないときは、上記の操作を行う必要はない。
【００４６】
画像形成装置をプリンタとして使用するときは、用途モードをプリンタモードに設定しておく。このときは、コンピュータ等からの指令によって印字条件が自動的に設定され、これが表示部(39)に表示されて、印字動作が行われる。
【００４７】
画像形成装置をＦＡＸの送信のために使用するときは、用途モードをＦＡＸモードに設定する。そして、必要な操作を行うことにより、送信処理が行われる。
【００４８】
ＦＡＸの受信は、どの用途モードに設定設定されているときにも行われる。送信元からＦＡＸが送信されてくると、用途モードが自動的にＦＡＸモードに設定され、送信元から送られてくる情報に基づいて、印字条件が自動的に設定され、これが表示部(39)に表示されて、ＦＡＸ受信のための印字動作が行われる。
【００４９】
なお、プリンタモードおよびＦＡＸモードにおける動作については、詳細な説明は省略する。
【００５０】
用途モードがコピーモードに設定されている場合、コピーモードにおける各機能項目の選択条件の内容が表示部にスクロール表示されている。このとき、選択条件が標準設定条件であれば、通常の表示が、標準設定条件以外の条件であれば、点滅表示が行われる。
【００５１】
コピーモードにおいて、次のように、必要に応じて、条件の設定を行い、スタートキー(36)を押すことにより、コピーが行われる。
【００５２】
カラーモードの選択は、カラーモード選択キー(41)を用いて行われる。操作の前には、そのときに選択されているカラーモードに対応するＬＥＤ(42)が点灯している。カラーモード選択キー(41)を押すと、カラーモードがカラー印字モードとモノクロ印字モードに切り替わり、選択されたカラーモードの内容に対応するＬＥＤ(42)が点灯するので、所望のカラーモードが選択された段階で操作を終了する。なお、カラーモードを変更する必要がないときは、上記の操作を行う必要はない。
【００５３】
コピー品質の選択は、コピー品質選択キー(43)を用いて行われる。操作の前には、そのときに選択されているコピー品質に対応するＬＥＤ(44)が点灯している。コピー品質選択キー(43)を押すと、コピー品質が４つの段階に順に切り替わり、選択された段階に対応するＬＥＤ(44)が点灯するので、所望の段階が選択された段階で操作を終了する。なお、コピー品質を変更する必要がないときは、上記の操作を行う必要はない。
【００５４】
コピー枚数の設定は、コピー枚数設定キー(45)(46)と決定キー(51)を用いて行われる。操作の前には、そのときに設定されているコピー枚数が表示部(39)に表示されている。増加キー(45)を押すと、コピー枚数が順に増加し、減少キー(46)を押すと、コピー枚数が順に減少し、それが表示部(39)に表示されるので、所望の枚数が表示されたときに、決定キー(51)を押す。これにより、そのときに表示されている数がコピー枚数として設定され、設定されたコピー枚数が、他の機能項目の選択条件とともに、表示部(39)にスクロール表示される。設定されたコピー枚数が標準設定条件の１枚であれば、１枚であることが通常に表示され、標準設定条件以外の枚数であれば、その枚数であること、たとえば、３枚であることが点滅表示される。なお、コピー枚数を変更する必要がないときは、上記の操作を行う必要はない。
【００５５】
用紙の種類の設定および用紙サイズの設定は、用紙選択キー(47)と決定キーを用いて行われる。操作の前には、そのときに設定されている用紙の種類と用紙サイズが表示部(39)に表示されている。用紙選択キー(47)を押すと、まず、そのときに選択されている用紙の種類が表示部(39)に表示される。用紙選択キー(47)を押すたびに、用紙の種類が変わり、その内容が表示部(39)に表示されるので、所望の用紙の種類が表示されたときに、決定キー(51)を押す。これにより、そのときに表示されている用紙の種類が選択され、選択された用紙の種類が、他の機能項目の選択条件とともに、表示部(39)にスクロール表示される。選択された用紙の種類が標準設定条件の普通紙であれば、普通紙であることが通常に表示され、普通紙以外であれば、その内容が点滅表示される。次に、用紙選択キー(47)を押すと、そのときに選択されている用紙サイズが表示部(39)に表示される。用紙選択キー(47)を押すたびに、用紙サイズが変わり、その内容が表示部(39)に表示されるので、所望の用紙サイズが表示されたときに、決定キー(51)を押す。これにより、そのときに表示されている用紙サイズが選択され、選択された用紙サイズが、他の機能項目の選択条件とともに、表示部(39)にスクロール表示される。選択された用紙サイズが標準設定条件のＡ４であれば、Ａ４であることが通常に表示され、Ａ４以外のサイズであれば、そのサイズが点滅表示される。なお、用紙の種類および用紙サイズを変更する必要がないときは、上記の操作を行う必要はない。
【００５６】
コピー倍率の選択は、倍率設定キー(48)と決定キー(51)を用いて行われる。操作の前には、そのときに選択されているコピー倍率が表示部(39)に表示されている。倍率設定キー(48)を押すと、そのときに選択されているコピー倍率が表示部(39)に表示される。倍率設定キー(48)を押すたびに、コピー倍率が変わり、その内容が表示部(39)に表示されるので、所望のコピー倍率が表示されたときに、決定キー(51)を押す。これにより、そのときに表示されているコピー倍率が選択され、選択されたコピー倍率が、他の機能項目の選択条件とともに、表示部(39)にスクロール表示される。選択されたコピー倍率が標準設定条件の等倍であれば、等倍すなわち１００％であることが通常に表示され、等倍以外のコピー倍率であれば、そのコピー倍率が点滅表示される。なお、コピー倍率を変更する必要がないときは、上記の操作を行う必要はない。
【００５７】
明暗の設定あるいはカラー濃度の設定は、明暗・カラー濃度設定キー(49)と決定キー(51)を用いて行われる。モノクロ印字モードの場合、操作の前には、そのときに設定されている明暗の段階が表示部(39)に表示されている。明暗・カラー濃度設定キー(49)を押すと、そのときに設定されている明暗の段階が表示部(39)に表示される。明暗・カラー濃度設定キー(49)を押すたびに、明暗の段階が順に切り替わり、その内容が表示部(39)に表示されるので、所望の明暗の段階が表示されたときに、決定キー(51)を押す。これにより、そのときに表示されている明暗の段階が設定され、設定された明暗の段階が、他の機能項目の選択条件とともに、表示部(39)にスクロール表示される。選択された明暗の段階が標準設定条件の「Normal」であれば、「Normal」であることが通常に表示され、「Normal」以外の明暗の段階であれば、その内容が点滅表示される。カラー印字モードの場合、操作の前には、そのときに設定されているカラー濃度の段階が表示部(39)に表示されている。明暗・カラー濃度設定キー(49)を押すと、そのときに設定されているカラー濃度の段階が表示部(39)に表示される。明暗・カラー濃度設定キー(49)を押すたびに、カラー濃度の段階が順に切り替わり、その内容が表示部(39)に表示されるので、所望のカラー濃度の段階が表示されたときに、決定キー(51)を押す。これにより、そのときに表示されているカラー濃度の段階が設定され、設定されたカラー濃度の段階が、他の機能項目の選択条件とともに、表示部(39)にスクロール表示される。選択されたカラー濃度の段階が標準設定条件の「Normal」であれば、「Normal」であることが通常に表示され、「Normal」以外の明暗の段階であれば、その内容が点滅表示される。なお、明暗の段階あるいはカラー濃度の段階を変更する必要がないときは、上記の操作を行う必要はない。
【００５８】
上記のような条件設定が終了した後、所定時間が経過するまでは、各機能項目について設定された条件が表示部(39)にスクロール表示される。このときも、標準設定条件が設定されている機能項目については、標準設定条件が通常に表示され、標準設定条件以外の条件が設定されている機能項目については、設定されている条件が点滅表示される。そして、この間に、スタートキー(36)を押すことにより、設定された条件で、コピー動作が行われる。
【００５９】
コピー動作が終了した後も、所定時間が経過するまでは、各機能項目について、上記のように設定された条件が表示部(39)にスクロール表示される。このときも、標準設定条件が設定されている機能項目については、標準設定条件が通常に表示され、標準設定条件以外の条件が設定されている機能項目については、設定されている条件が点滅表示される。このため、引き続いて次のコピーを行うときに、どの機能項目が標準設定条件から変更されているかが容易に認識でき、次の条件の設定が簡単にかつ確実にでき、誤操作を防止することができる。
【００６０】
コピー動作が終了してから所定時間が経過すると、全ての機能項目が標準設定条件に初期化され、各機能項目の標準設定条件が表示部(39)に通常の表示でもってスクロール表示される。
【００６１】
条件設定のための最後の操作が行われてから所定時間が経過するまでに、何も操作が行われなかったときも、全ての機能項目が標準設定条件に初期化され、各機能項目の標準設定条件が表示部(39)に通常の表示でもってスクロール表示される。
【００６２】
上記実施形態では、条件の設定時にも、選択条件が標準設定条件以外の条件であれば、これを点滅表示しているので、このときにも、どの機能項目が標準設定条件から変更されているかが容易に認識できる。しかしながら、条件設定時には、選択条件が標準設定条件以外の条件であっても、これを通常に表示し、コピー動作の終了後から全機能項目を標準設定条件に初期化するまでの間だけ、標準設定条件以外の選択条件を点滅表示するようにすることもできる。
【００６３】
標準設定条件から変更されてことを表示する機能項目の種類、各機能項目における条件選択肢の種類および標準設定条件の内容、条件設定のための手段および方法等は、上記実施形態のものに限らず、適宜変更可能である。
【００６４】
また、本発明は、上記実施形態に示した複合画像形成装置以外の画像形成装置にも適用できる。
【図面の簡単な説明】
【符号の説明】
【図１】図１は、本発明の実施形態を示す複合画像形成装置の概略構成図である。
【図２】図２は、図１の複合画像形成装置の操作パネルの１例を示す平面図である。
【符号の説明】
(34)              操作パネル
(38)              条件選択部
(39)              表示部
(40)              メニュー選択キー
(41)              カラーモード設定キー
(43)              コピー品質選択キー
(45)(46)          コピー枚数設定キー
(47)              用紙選択キー
(48)              倍率設定キー
(49)              明暗・カラー濃度設定キー
(50)              ４方向スイッチ
(51)              決定キー
【図１】
0004147341.tif 000002
【図２】
0004147341.tif 000003